【事件の表示】
　特許第５８４０４２４号発明「電気掃除機」の特許異議申立事件について、次のとおり決定する。
【結　論】
　特許第５８４０４２４号の明細書、特許請求の範囲を訂正請求書に添付された訂正明細書、特許請求の範囲のとおり、訂正後の請求項１、〔２、３〕について訂正することを認める。
　特許第５８４０４２４号の請求項１〜３に係る特許を維持する。
【理　由】
第１  手続の経緯
　特許第５８４０４２４号の請求項１〜３に係る特許についての出願は、平成２３年８月２９日に特許出願され、平成２７年１１月２０日にその特許権の設定登録がされ、その後、その特許について、特許異議申立人浅野　文雄及び山田　宏基により特許異議申立がなされ、当審において平成２８年９月２３日付けで取消理由が通知され、その指定期間内である平成２８年１１月２８日に意見書の提出及び訂正の請求がされ、その訂正の請求に対して特許異議申立人浅野　文雄から平成２９年１月４日付けで意見書が提出されたものである。
第２　訂正の適否についての判断
１　訂正の内容
　平成２８年１１月２８日の訂正請求書による訂正の請求は、「特許第５８４０４２４号の明細書および特許請求の範囲を訂正請求書に添付した訂正明細書および特許請求の範囲のとおり訂正後の請求項１、２および３について訂正することを求める。」ものであり、その訂正（以下「本件訂正」という。）の内容は以下のとおりである。（下線は訂正箇所を示す。）
（訂正事項１）
　特許請求の範囲の請求項１に「電動送風機を収容した掃除機本体と、扁平形状の扁平部を少なくとも一部に備え、前記電動送風機の吸込側に連通する風路を形成する風路形成部と、前記扁平部の長手方向に対向配置された発光部および受光部を備え、前記発光部から発光された光の前記受光部での受光量に基づき前記風路を通過する塵埃量を検出する光センサとを具備したことを特徴とした電気掃除機。」とあるのを、「電動送風機を収容した掃除機本体と、扁平形状の扁平部
を一
この扁平部にこの扁平部の上流側を構成する上流側風路部が形成され、前記掃除機本体に配置されて、
前記上流側風路部にて
（訂正事項２）
　特許請求の範囲の請求項２に「扁平部は、少なくとも一部が屈曲状に形成され、光センサの発光部および受光部は、前記扁平部内の屈曲している部分の屈曲形状の外側寄りに配置されていることを特徴とした請求項１記載の電気掃除機。」とあるのを、「
電動送風機を収容した掃除機本体と、扁平形状の扁平部を一部に備え、この扁平部に、この扁平部の上流側を構成する上流側風路部、下流側を構成する下流側風路部、および、これら上流側風路部および下流側風路部を連通して屈曲状に形成された屈曲部が形成され、前記掃除機本体に配置されて、前記電動送風機の吸込側に連通する風路を形成する風路形成部と、前記屈曲部にてこの屈曲部の屈曲形状の外側寄りに配置され、前記扁平部の長手方向に対向配置された発光部および受光部を備え、前記発光部から発光された光の前記受光部での受光量に基づき前記風路を通過する塵埃量を検出する光センサとを具備した
た電
（訂正事項３）
　特許請求の範囲の請求項３に「扁平部は、下方に向けて傾斜し互いに対向する傾斜面を有し、光センサの発光部および受光部は、前記扁平部の前記傾斜面に配置されていることを特徴とした請求項２記載の電気掃除機。」とあるのを、「扁平部は、下方に向けて傾斜し
この扁平部の長手方向に
屈曲部にて
（訂正事項４）
　明細書の【０００８】に「実施形態の電気掃除機は、電動送風機を収容した掃除機本体を有する。また、この電気掃除機は、扁平形状の扁平部を少なくとも一部に備え、電動送風機の吸込側に連通する風路を形成する風路形成部を有する。さらに、この電気掃除機は、扁平部の長手方向に対向配置された発光部および受光部を備え、発光部から発光された光の受光部での受光量に基づき風路を通過する塵埃量を検出する光センサを有する。」とあるのを、「実施形態の電気掃除機は、電動送風機を収容した掃除機本体を有する。また、この電気掃除機は、扁平形状の扁平部
を一
この扁平部にこの扁平部の上流側を構成する上流側風路部が形成され、
上流側風路部にて
２　訂正の適否
（１）訂正事項１について
ア　訂正の目的
　上記訂正事項１は、「扁平部を少なくとも一部に備え」る「風路形成部」に対して、「扁平部を一部に備え、この扁平部にこの扁平部の上流側を構成する上流側風路部が形成され、前記掃除機本体に配置されて」いることを限定し、「発光部および受光部」の位置を「上流側風路部」に限定するものであるから、特許法第１２０条の５第２項ただし書き第１号に規定する特許請求の範囲の減縮を目的とするものである。
イ　実質上特許請求の範囲を拡張し、又は変更するものではないこと
　上記訂正事項１は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること
　上記訂正事項１で限定した事項は、本件明細書の【００１５】の「本体ケース25の内部には、これら本体部31と突出受部32とに亘って、内部に風路Ｗを区画するダクト部である風路形成部33が配置されている。」との記載、【００２２】の「風路形成部33は、・・・この導入部67に連通し本体部31内に位置する扁平部としての風路形成部本体68とが連続して形成されている。」との記載、【００２４】の「また、風路形成部本体68は、上流側を構成し前後方向に沿って延びる上流側風路部68aと、下流側を構成し上下方向に沿って伸びる下流側風路部68bと、これら風路部68a，68bを連通する屈曲部68cとを備えている。」との記載、【００２５】の「そして、この上流側風路部68aには、風路Ｗを通過する塵埃量を検出する光センサ71が配置されている。」との記載及び図２の記載に基づくものであるから、願書に添付した明細書、特許請求の範囲又は図面に記載した事項の範囲内のものであり、特許法第１２０条の５第９項の規定によって準用する第１２６条第５項に適合するものである。
（２）訂正事項２について
ア　訂正の目的
　上記訂正事項２は、請求項１の引用関係を解消するとともに、「扁平部を少なくとも一部に備え」る「風路形成部」に対して、「扁平形状の扁平部を一部に備え、この扁平部に、この扁平部の上流側を構成する上流側風路部、下流側を構成する下流側風路部、および、これら上流側風路部および下流側風路部を連通して屈曲状に形成された屈曲部が形成され、前記掃除機本体に配置されて」いることを限定し、「発光部および受光部」の配置について、「扁平部内の屈曲している部分の屈曲形状の外側寄り」を「屈曲部にてこの屈曲部の屈曲形状の外側寄り」に限定するものであるから、特許法第１２０条の５第２項ただし書き第１号に規定する特許請求の範囲の減縮及び第４号に規定する請求項間の引用関係の解消を目的とするものである。
イ　実質上特許請求の範囲を拡張し、又は変更するものではないこと
　上記訂正事項２は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること
　上記訂正事項２で限定した事項は、本件明細書の【００１５】の「本体ケース25の内部には、これら本体部31と突出受部32とに亘って、内部に風路Ｗを区画するダクト部である風路形成部33が配置されている。」との記載、【００２２】の「風路形成部33は、・・・この導入部67に連通し本体部31内に位置する扁平部としての風路形成部本体68とが連続して形成されている。」との記載、【００２４】の「また、風路形成部本体68は、上流側を構成し前後方向に沿って延びる上流側風路部68aと、下流側を構成し上下方向に沿って伸びる下流側風路部68bと、これら風路部68a，68bを連通する屈曲部68cとを備えている。」との記載、【００５６】の「上記第１の実施形態の光センサ71が、風路形成部33の風路形成部本体68の屈曲部68c内の屈曲形状の外側寄りに配置されているものである。」との記載及び図２、６の記載に基づくものであるから、願書に添付した明細書、特許請求の範囲又は図面に記載した事項の範囲内のものであり、特許法第１２０条の５第９項の規定によって準用する第１２６条第５項に適合するものである。
（３）訂正事項３について
ア　訂正の目的
　上記訂正事項３は、互いに対向する傾斜面が「扁平部の長手方向」であることを限定し、光センサの発光部および受光部の配置を「扁平部」から「扁平部の屈曲部」へと限定するものであるから、特許法第１２０条の５第２項ただし書き第１号に規定する特許請求の範囲の減縮を目的とするものである。
イ　実質上特許請求の範囲を拡張し、又は変更するものではないこと
　上記訂正事項３は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること
　上記訂正事項３で限定した事項は、本件明細書の【００５６】の「上記第１の実施形態の光センサ71が、風路形成部33の風路形成部本体68の屈曲部68c内の屈曲形状の外側寄りに配置されているものである。」及び【００５９】の「この第３の実施形態は、上記各実施形態の第１辺部Pa，Paに代えて、下方に向けて傾斜している傾斜面である第１辺部Pa1，Pa1を互いに対向して備えるものである。すなわち、これら第１辺部Pa1，Pa1は、それぞれ上側が下側よりも風路Ｗの中心側へと突出している。」との記載及び図２、６、７の記載に基づくものであるから、願書に添付した明細書、特許請求の範囲又は図面に記載した事項の範囲内のものであり、特許法第１２０条の５第９項の規定によって準用する第１２６条第５項に適合するものである。
（４）訂正事項４について
ア　訂正の目的
　上記訂正事項４は、訂正事項１と整合させるための明細書の訂正であるから、特許法第１２０条の５第２項ただし書き第３号に規定する明瞭でない記載の釈明を目的とするものである。
イ　実質上特許請求の範囲を拡張し、又は変更するものではないこと
　上記訂正事項４は、上記アのとおりであるから、実質上特許請求の範囲を拡張し、又は変更するものではなく、特許法第１２０条の５第９項の規定によって準用する第１２６条第６項に適合するものである。
ウ　願書に添付した明細書、特許請求の範囲又は図面に記載した事項の範囲内の訂正であること
　上記訂正事項４は、上記（１）ウのとおりであるから、願書に添付した明細書、特許請求の範囲又は図面に記載した事項の範囲内のものであり、特許法第１２０条の５第９項の規定によって準用する第１２６条第５項に適合するものである。
３　むすび
　以上のとおりであるから、本件訂正は、特許法第１２０条の５第２項ただし書き第１号、第３号及び第４号に掲げる事項を目的とするものであり、かつ、同条第１２０条の５第９項において準用する同法第１２６条第５項及び第６項の規定に適合するので、訂正後の請求項１、〔２、３〕についての訂正を認める。
第３　特許異議申立について
１　本件発明
　本件訂正の請求により訂正された訂正請求項１〜３に係る発明（以下訂正請求項１〜３に記載された発明を「本件発明１〜３」、また、これらをあわせて「本件発明」という。）は、その特許請求の範囲の請求項１〜３に記載された次の事項により特定されるとおりのものである。
【請求項１】
　電動送風機を収容した掃除機本体と、
　扁平形状の扁平部を一部に備え、この扁平部にこの扁平部の上流側を構成する上流側風路部が形成され、前記掃除機本体に配置されて、前記電動送風機の吸込側に連通する風路を形成する風路形成部と、
　前記上流側風路部にて前記扁平部の長手方向に対向配置された発光部および受光部を備え、前記発光部から発光された光の前記受光部での受光量に基づき前記風路を通過する塵埃量を検出する光センサと
　を具備したことを特徴とした電気掃除機。
【請求項２】
　電動送風機を収容した掃除機本体と、
　扁平形状の扁平部を一部に備え、この扁平部に、この扁平部の上流側を構成する上流側風路部、下流側を構成する下流側風路部、および、これら上流側風路部および下流側風路部を連通して屈曲状に形成された屈曲部が形成され、前記掃除機本体に配置されて、前記電動送風機の吸込側に連通する風路を形成する風路形成部と、
　前記屈曲部にてこの屈曲部の屈曲形状の外側寄りに配置され、前記扁平部の長手方向に対向配置された発光部および受光部を備え、前記発光部から発光された光の前記受光部での受光量に基づき前記風路を通過する塵埃量を検出する光センサと
　を具備したことを特徴とした電気掃除機。
【請求項３】
　扁平部は、下方に向けて傾斜しこの扁平部の長手方向に互いに対向する傾斜面を有し、
　光センサの発光部および受光部は、前記扁平部の屈曲部にて前記傾斜面に配置されている
　ことを特徴とした請求項２記載の電気掃除機。
２　取消理由の概要
　当審において、請求項１〜３に係る特許に対して通知した取消理由の要旨は、次のとおりである。
　甲第１号証：特開２０１０−４９９７号公報（平成２８年７月４日の特許異議申立書（以下「特許異議申立書Ａ」という。）） 
 　甲第３号証：特開平１−３１４５３１号公報（特許異議申立書Ａ） 
 　甲第４号証：特許第３３２７３９３号公報（特許異議申立書Ａ） 
 　甲第５号証：特表昭６４−５０００６０号公報（特許異議申立書Ａ） 
 　甲第６号証：実公平７−２６６８８号公報（特許異議申立書Ａ） 
 　甲第７号証：特開平２−１３１７３３号公報（平成２８年７月５日の特許異議申立書（以下「特許異議申立書Ｂ」という。）の甲第１号証） 
 　甲第８号証：特開２００８−４９０７４号公報（特許異議申立書Ｂの甲第３号証） 
 　甲第９号証：特開２００９−２２３３８号公報（特許異議申立書Ｂの甲第４号証） 
（１）特許法第３６条第６項第２号 
　請求項１〜３の記載は、「掃除機本体」、「風路形成部」、「扁平部」、「発光部および受光部」の関係が不明確であるから、請求項１〜３に係る発明の特許は、特許法第３６条第６項第２号の規定する要件を満たしていない特許出願に対してなされたものであり、取り消されるべきものである。 
  
（２）特許法第３６条第６項第１号 
　本件発明は、発明の詳細な説明に記載されたものでないから、特許法第３６条第６項第１号に規定する要件を満たしていない特許出願に対してなされたものであり、取り消されるべきものである。
（３）特許法第２９条第１項第３号 
　本件発明は、甲第１号証記載の発明である。 
　本件発明１は、甲第７号証記載の発明である。 
　よって、請求項１〜３に係る特許は、特許法第２９条第１項第３号の規定に違反してされたものであり、取り消されるべきものである。 
（４）特許法第２９条第２項 
　請求項１〜３に係る発明は、甲第３号証及び甲第４〜６号証に示す周知技術、又は甲第７号証及び甲第８、９号証記載の発明に基いて当業者が容易に発明をすることができたものである。 
　よって、請求項１〜３に係る特許は、特許法第２９条第２項の規定に違反してされたものであり、取り消されるべきものである。 
３　甲各号証の記載
（１）甲第１号証
　甲第１号証（【００１６】〜【００２９】、【００３６】、図３、図５）には、「電動送風機７を収容した掃除機本体４と、この掃除機本体４とは別体の掃除機用吸込具１と、この掃除機用吸込具１に設けられ、電動送風機７の吸い込み側に連通する連通路２４の左右両側に対向配置された発光ダイオードおよびホトダイオードを備え、発光ダイオードから発光された光のホトダイオードでの受光量に基づき連通路２４を通過する塵埃量を検出する検知部４０とを備える電気掃除機」という発明が記載されている（以下「甲１発明」という。）。
（２）甲第３号証
　甲３号証（１頁左欄下から６〜４行、２頁右上欄１７行〜右下欄７行）には、「操作ハンドル８に一体に形成された吸込み通路７と、この吸い込み通路７に形成されたテーパー部９と、このテーパー部９の上下に対向配置された発光素子３および受光素子４を備え、発光素子３から発光された光の受光量に基づき吸込み通路７を通過する塵埃量を検出する塵検知装置とを備えた電気掃除機」という発明が記載されている（以下「甲３発明」という。）。
（３）甲第７号証
　甲７号証（２頁左下欄２行〜３頁左上欄末行、３頁左下欄１４行〜右下欄１行）には、「電動送風機（２）を収容した電気掃除機本体（１）と、この電気掃除機本体（１）とは別体の床ブラシ（１０）と、床ブラシ（１０）に回転可能に設けられ左右に形成された嵌合部（３２）を有し、電動送風機（２）の吸込側に連通する風路を形成するエルボ（１５）と、嵌合部（３２）の回転中心である両軸に対向配置された発光ダイオード（３３）およびホトダイオード（３５）を備え、発光ダイオード（３３）から発光された光のホトダイオード（３５）での受光量に基づき風路を通過する塵埃量を検出する塵埃検知器とを備える電気掃除機」という発明が記載されている（以下「甲７発明」という。）。
４　判断 
（１）特許法第３６条第６項第２号について
（１−１）本件発明１
　本件発明１の「扁平形状の扁平部を一部に備え、この扁平部にこの扁平部の上流側を構成する上流側風路部が形成され、前記掃除機本体に配置されて、前記電動送風機の吸込側に連通する風路を形成する風路形成部と、」とは、「扁平部」と「上流側風路」との関係について、以下の２つの解釈が取りうる。
（ａ）「扁平部」の一部として「上流側風路部」が形成されているという解釈。
（ｂ）「扁平部」とは別の構成として、「上流側風路部」が形成されているという解釈。
　そこで、本件明細書の記載を参酌すると、本件明細書には、「風路形成部33は、・・・、突出受部32内に位置して前後方向に沿う長手状の導入部67と、この導入部67に連通し本体部31内に位置する扁平部としての風路形成部本体68とが連続して形成されている。」（【００２２】）ものであって、「風路形成部本体68は、上流側を構成し前後方向に沿って延びる上流側風路部68aと、下流側を構成し上下方向に沿って伸びる下流側風路部68bと、これら風路部68a，68bを連通する屈曲部68cとを備えている。そして、この風路形成部本体68の全体は、断面形状(風路Ｗの軸線方向に直交する断面形状)が左右幅方向に長手方向を有する扁平な多角形状である長方形状となっている。」（【００２４】）と記載されており、図２も参酌すると、風路形成部33は、導入部67と扁平部としての風路形成部本体68とからなり、風路形成部本体68は、上流側風路部68a、下流側風路部68b及び屈曲部68cとからなるものであるから、上流側風路部68aが風路形成部本体68である扁平部の一部であることは明らかである。
　そして、本件明細書には、「扁平部」とは別の構成として、「上流側風路部」を形成するものは記載されておらず、「扁平部」の一部として「上流側風路部」が形成されていると理解できる。
　そうすると、本件訂正により、本件発明１は、「掃除機本体」、「風路形成部」、「扁平部」、「発光部および受光部」の関係が明確となったものである。
　したがって、本件発明１は、特許法第３６条第６項第２号の規定を満たすものであり、取り消されるべきものであるとはいえない。
（１−２）本件発明２、３
　本件発明２、３は、「扁平形状の扁平部を一部に備え、この扁平部に、この扁平部の上流側を構成する上流側風路部、下流側を構成する下流側風路部、および、これら上流側風路部および下流側風路部を連通して屈曲状に形成された屈曲部が形成され、前記掃除機本体に配置されて、前記電動送風機の吸込側に連通する風路を形成する風路形成部と、前記屈曲部にてこの屈曲部の屈曲形状の外側寄りに配置され、前記扁平部の長手方向に対向配置された発光部および受光部を備え、前記発光部から発光された光の前記受光部での受光量に基づき前記風路を通過する塵埃量を検出する光センサとを具備し」たものであるから、「掃除機本体」、「風路形成部」、「扁平部」、「発光部および受光部」の関係は明確であり、特許法第３６条第６項第２号の規定を満たすものであり、取り消されるべきものであるとはいえない。
（２）特許法第３６条第６項第１号について
　特許異議申立人浅野　文雄は、上記ア（ｂ）の解釈を採れば、本件発明１は、発明の詳細な説明に記載した内容を超えるものを含んでいる旨主張する（平成２９年１月４日付け意見書２頁１１行〜３頁２０行）。
　しかし、上記（１）（１−１）のとおり、本件発明１は上記（ａ）と解釈出来るものであり、「扁平部」から離れた領域に「発光部および受光部」を「対向配置」させる態様を含まないものである。
　したがって、本件発明は、発明の詳細な説明に記載した内容を超えるものではなく、特許法第３６条第６項第１号の規定を満たすものであるから、取り消されるべきものであるとはいえない。
（３）特許法第２９条第１項第３号について
（３−１）本件発明１
　本件発明１と甲１、７発明とを対比するに、甲１発明の「電動送風機７」及び甲７発明の「電動送風機（２）」は、その作用及び構造から、本件発明１の「電動送風機」に相当し、同様に「掃除機本体４」及び「電気掃除機本体（１）」は「掃除機本体」に、「電動送風機７の吸い込み側に連通する連通路２４」及び「電動送風機（２）の吸込側に連通する風路」は「電動送風機の吸込側に連通する風路を形成する風路形成部」に、「発光ダイオードおよびホトダイオード」及び「発光ダイオード（３３）およびホトダイオード（３５）」は「発光部および受光部」に、「発光ダイオードから発光された光のホトダイオードでの受光量に基づき連通路２４を通過する塵埃量を検出する検知部４０」及び「発光ダイオード（３３）から発光された光のホトダイオード（３５）での受光量に基づき風路を通過する塵埃量を検出する塵埃検知器」は「前記発光部から発光された光の前記受光部での受光量に基づき前記風路を通過する塵埃量を検出する光センサ」に、それぞれ相当する。
　そうすると、本件発明１と甲１、７発明とは、少なくとも光センサについて、本件発明１では掃除機本体に配置されているのに対して、甲１発明では掃除機本体４とは別体の掃除機用吸込具に、甲７発明では電気掃除機本体（１）とは別体の床ブラシ（１０）に回転可能に設けられたエルボ（１５）に配置されている点で相違する。
　そして、甲１発明の掃除機用吸込具及び甲７発明のエルボ（１５）は掃除機本体とは別体であるから、本件発明１は甲１発明又は甲７発明であるとはいえない。
（３−２）本件発明２、３
　本件発明２及び３と甲１発明と対比すると、少なくとも光センサについて、本件発明１では掃除機本体に配置されているのに対して、甲１発明では掃除機本体４とは別体の掃除機用吸込具に配置されている点で相違し、本件発明２及び３は甲１発明であるとはいえない。
（３−３）まとめ
　したがって、本件発明は、特許法第２９条第１項第３号の規定に違反してされたものであり、取り消されるべきものとはいえない。
（４）特許法第２９条第２項について
（４−１）本件発明１
　本件発明１と甲３、７発明とを対比するに、少なくとも光センサについて、本件発明１では掃除機本体に配置されており、具体的に、掃除機本体に配置された風路形成部の上流側風路部に備えているのに対して、甲３発明では操作ハンドル８に、甲７発明では電気掃除機本体（１）とは別体の床ブラシ（１０）に回転可能に設けられたエルボ（１５）に配置されている点で相違する。
　当該相違点を検討するに、キャニスター型の掃除機において、掃除機本体の集塵室とホースとの間に風路を設けたもの、すなわち上流側風路部を備える風路形成部を有する掃除機本体が周知であるとする証拠はないから、光センサを掃除機本体の風路形成部、特に上流側風路部に設けることが設計上適宜なし得たことであるとはいえない。
　そして、本件発明１は、掃除機本体に配置した扁平形状の上流側風路部にて扁平部の長手方向に発光部と受光部とを対向配置したことにより、塵埃の検出範囲を効果的に絞り込み、かつ塵埃量の検出精度を向上できるという効果を奏するものである。
　したがって、本件発明１は、甲第３、７号証の発明及び甲４〜６、８、９号証に記載された事項に基いて当業者が容易に想到し得たとはいえない。
（４−２）本件発明２、３
　本件発明２、３と甲３、７発明とを対比するに、少なくとも光センサについて、本件発明２、３では掃除機本体に配置された屈曲部に備えているのに対して、甲３発明では操作ハンドル８に、甲７発明では電気掃除機本体（１）とは別体の床ブラシ（１０）に回転可能に設けられたエルボ（１５）に配置されている点で相違する。
　当該相違点は、上記（４−１）で検討したのと同様の理由により、本件発明２、３は、甲第３、７号証の発明及び甲４〜６、８、９号証に記載された事項に基いて当業者が容易に想到し得たとはいえない。
（４−３）まとめ
　したがって、本件発明は、特許法第２９条第２項の規定に違反してされたものであり、取り消されるべきものとはいえない。
５　取消理由に採用しなかった特許異議申立理由について
（１）取消理由に採用しなかった特許異議申立理由
ア　特許異議申立人浅野　文雄は、本件発明について、甲第２号証（特開２００５−２１１３６５公報）を提出し、特許法第２９条第１項第３号の規定に違反してされたものであるから特許を取り消すべきものである旨主張する。
イ　特許異議申立人山田　宏基は、訂正前の本件発明は、
（イ−１）「扁平形状の扁平部を少なくとも一部に備え、前記電動送風機の吸込側に連通する風路を形成する風路形成部」と記載されているところ、風路形成部の全部が扁平形状の扁平部であるものは、本件明細書の発明の詳細な説明に記載されていないこと、及び
（イ−２）【００２４】及び平成２７年７月８日付けの本件特許出願に係る意見書の記載から、本件発明の扁平部は、その断面積が風路形成部の他の部位の断面積に略等しいことが前提とされているのであるから、扁平部の断面積の大きさが何ら規定されていない本件発明は、本件明細書の発明の詳細な説明の範囲を超えるものであること
から、特許法第３６条第６項第１号の規定を違反し、取り消されるべきものである旨主張する。
（２）当審の判断
ア　特許法第２９条第１項第３号について
　甲第２号証には、「ゴミセンサ１７は、透過型の光学式センサであり、光を発する発光部１７ａと、発光部１７ａからの光を受光する受光部１７ｂとを有している。発光部１７ａ及び受光部１７ｂは、吸引ノズル９の吸引口９ａ付近の両側部に配置されており、吸引ノズル９がゴミを吸引すると、ゴミは発光部１７ａと受光部１７ｂとの間を通過するようになっている。ゴミセンサ１７は、発光部１７ａから発せられて受光部１７ｂにて受光される光が遮ることにより、吸引ノズル９により吸引されるゴミを検出する。」（【００２４】）と記載されており、図１（ａ）、（ｂ）も参酌すると、ゴミセンサ１７は、吸引ノズル９の吸引口９ａ付近で吸引ノズル９より上流の両側部に配置されているものである。
　ここで、本件発明１の光センサは、扁平部に設けられているところ、甲第２号証では、平成２９年１月４日付け意見書に「メインブラシ（７）及びローラ（８）が配された空間、・・・の形状は不明である。」と記載されているように、ゴミセンサ１７の配置された吸引ノズル９より上流のメインブラシ（７）及びローラ（８）が配された空間の形状は不明であり、扁平部であるとはいえない。
　仮にメインブラシ（７）及びローラ（８）が配された空間が、扁平であるとしても、甲第２号証に
「【００１７】
　サブブラシ６は、床面に落ちているゴミを掻き集めるものであり、機器本体２の前部に２つのものが配置されており、各々、図中矢印Ｄ１方向、Ｄ２方向に回転駆動されるようになっている。メインブラシ７は、床面に落ちているゴミを掻き上げるものであり、サブブラシ６の後方に配置されており、図中矢印Ｅ方向に回転駆動されるようになっている。ローラ８は、メインブラシ７により掻き上げられたゴミを吸引ノズル９の吸引口９ａ付近に搬送するものであり、メインブラシ７の回転に従動して図中矢印Ｆ方向に回転するようになっている。
【００１８】
　吸引ノズル９は、メインブラシ７により掻き上げられたゴミ、及びローラ８により搬送されたゴミを吸引口９ａから吸引してダストボックス１０に排出するものである。吸引ノズル９の吸引口９ａは、機器本体２の走行方向（図中矢印Ａ方向）に垂直な方向に長くなっている。ダストボックス１０は、吸引ノズル９から排出されるゴミを集めておくものである。」
と記載されているように、メインブラシ７が、床面に落ちているゴミを掻き上げ、ローラ８が、メインブラシ７により掻き上げられたゴミを吸引ノズル９の吸引口９ａ付近に搬送し、吸引ノズル９が、メインブラシ７により掻き上げられたゴミ、及びローラ８により搬送されたゴミを吸引口９ａから吸引してダストボックス１０に排出するものであるから、メインブラシ（７）及びローラ（８）が配された空間は、その作用から、本件発明１の「風路形成部」、特に「上流側風路部」に相当するとはいえない。
　したがって、本件発明１と甲第２号証に記載された発明とは、少なくとも光センサについて、本件発明１では掃除機本体に配置された上流側風路部に備えているのに対して、甲第２号証に記載された発明では吸引ノズル９の吸引口９ａ付近で吸引ノズル９より上流の両側部に配置されている点で相違する。
　そして、上記のとおり、当該相違点は、実質的な相違点であるから、本件発明１は甲第２号証に記載された発明であるとはいえない。
イ　特許法第３６条第６項第１号について
（イ−１）本件発明の「扁平形状の扁平部を一部に備え」たことは、本件明細書の発明の詳細な説明に記載されたものである。
（イ−２）本件発明の課題は、「光センサによる塵埃の検出範囲を絞り込み、塵埃量の検出精度を向上した電気掃除機を提供することである。」（【０００７】）
　そして、当該課題を解決するために、本件発明１は、上流側風路部にて扁平部の長手方向に対向配置された発光部および受光部を備え、前記発光部から発光された光の前記受光部での受光量に基づき前記風路を通過する塵埃量を検出する光センサを具備するもの、又は本件発明２、３は、屈曲部にてこの屈曲部の屈曲形状の外側寄りに配置され、扁平部の長手方向に対向配置された発光部および受光部を備え、前記発光部から発光された光の前記受光部での受光量に基づき前記風路を通過する塵埃量を検出する光センサを具備するものである。
　そうすると、本件発明は、扁平部の断面積の大きさに拘わらず、本件発明の課題を解決できることは明らかであるから、扁平部の断面積を限定しない本件発明は、発明の詳細な説明に記載されているといえる。
　したがって、本件発明は、本件明細書の発明の詳細な説明に記載したものであるから、特許法第３６条第６項第１号の規定を満たしている。
第４　むすび
　したがって、特許異議の申立の理由及び証拠によっては、請求項１〜３に係る特許を取り消すことはできない。
　また、他に請求項１〜３に係る特許を取り消すべき理由を発見しない。
　よって、結論のとおり決定する。
【異議決定日】
平成２９年２月２１日（２０１７．２．２１）
【訂正の要旨】
審決（決定）の【理由】欄参照。
（５４）【発明の名称】
電気掃除機
　【技術分野】
　【０００１】
　本発明の実施形態は、発光部から発光された光の受光部での受光量に基づき風路を通過する塵埃量を検出する光センサを備えた電気掃除機に関する。
　【背景技術】
　【０００２】
　従来、電気掃除機は、電動送風機を収容した掃除機本体と、電動送風機の吸込側に連通する集塵部と、この集塵部に連通する風路とを備え、電動送風機の駆動により生じた負圧によって空気とともに風路に吸い込んだ塵埃を集塵部に捕集している。
　【０００３】
　そして、集塵部の上流側に、風路を通過する塵埃量を検出する塵埃量検出手段である光センサが配置された電気掃除機が知られている。この光センサは、互いに対向する発光部と受光部とを有しており、発光部から発光された光の受光部での受光量に対応して風路を通過する塵埃量を検出するように構成されている。すなわち、発光部から発光された光は、風路を通過する塵埃量が多くなるほど妨げられやすく、受光部に到達しにくくなるため、この光センサは、受光部での受光量の大小に対応して、風路を通過する塵埃量が多いか少ないかを検出できるようになっている。そして、このように検出した塵埃量が相対的に多い場合には、電動送風機の入力を相対的に増加させて効率よく塵埃を吸い込んで掃除するとともに、検出した塵埃量が相対的に少ない場合には、電動送風機の入力を相対的に低下させて省電力化を図っている。
　【０００４】
　しかしながら、発光部と受光部とは断面円形状の風路の直径に沿って互いに略一直線上に対向して位置しているため、光センサの検出範囲は主として風路の直径近傍となり、この直径近傍から離れた領域を通過する塵埃を検出できないことがある。
　【０００５】
　このような塵埃の検出精度を向上するためには、光センサの数を増加させることが考えられるものの、光センサの数を増加させた場合、各光センサによる塵埃量の検出を互いに独立させることが容易でなく、例えば同一の塵埃を複数の光センサで同時に検出することなどにより塵埃量を誤検出するなどの誤動作をするおそれがあるとともに、製造コストの増加および構造の複雑化を招くおそれがある。
　【先行技術文献】
　【特許文献】
　【０００６】
　【特許文献１】特許第２９５６２３５号公報
　【特許文献２】特許第３１２９３２０号公報
　【発明の概要】
　【発明が解決しようとする課題】
　【０００７】
　本発明が解決しようとする課題は、光センサによる塵埃の検出範囲を絞り込み、塵埃量の検出精度を向上した電気掃除機を提供することである。
　【課題を解決するための手段】
　【０００８】
　実施形態の電気掃除機は、電動送風機を収容した掃除機本体を有する。また、この電気掃除機は、扁平形状の扁平部
を一
この扁平部にこの扁平部の上流側を構成する上流側風路部が形成され、掃除機本体に配置されて、
上流側風路部にて
　【図面の簡単な説明】
　【０００９】
　【図１】第１の実施形態の電気掃除機の風路の扁平部を示す縦断正面図である。
　【図２】同上電気掃除機の掃除機本体を示す縦断側面図である。
　【図３】同上掃除機本体の内部を示す斜視図である。
　【図４】同上掃除機本体の一部を示す斜視図である。
　【図５】同上電気掃除機を示す斜視図である。
　【図６】第２の実施形態の電気掃除機の掃除機本体を示す縦断側面図である。
　【図７】第３の実施形態の電気掃除機の風路の扁平部を示す縦断正面図である。
　【図８】第４の実施形態の電気掃除機の風路の扁平部を模式的に示す縦断正面図である。
　【図９】第５の実施形態の電気掃除機の風路の扁平部を模式的に示す縦断正面図である。
　【発明を実施するための形態】
　【００１０】
　以下、第１の実施形態の構成を図１ないし図５を参照して説明する。
　【００１１】
　図５において、１１はいわゆるキャニスタ型の電気掃除機を示し、この電気掃除機１１は、吸込風路体（風路形成体）である管部１２と、この管部１２が着脱可能に接続される掃除機本体１３とを有している。
　【００１２】
　管部１２は、掃除機本体１３に接続される接続管部１５と、この接続管部１５の先端側に連通する可撓性を有するホース体１６と、このホース体１６の先端側に設けられた手元操作部１７と、この手元操作部１７の先端側に着脱可能に接続される延長管１８と、この延長管１８の先端側などに着脱可能に接続される吸込口体としての床ブラシ１９とを備えている。
　【００１３】
　手元操作部１７には、ループ状の把持部２１がホース体１６側へと突出し、この把持部２１の上部には、操作用の設定ボタン２２が複数設けられている。
　【００１４】
　また、掃除機本体１３は、図２ないし図５に示すように、大径の走行輪２３を両側に有し旋回輪２４を下部に有する本体ケース２５を備え、この本体ケース２５の上部には、集塵部としての集塵装置２６が着脱可能となっている。そして、掃除機本体１３は、走行輪２３および旋回輪２４によって被掃除面である床面上を少なくとも前後方向に沿って走行（移動）可能に構成されている。
　【００１５】
　本体ケース２５は、例えば合成樹脂などにより形成されており、本体部３１と、この本体部３１の前部に突設された突出受部３２とを一体的に有している。そして、本体ケース２５の内部には、これら本体部３１と突出受部３２とに亘って、内部に風路Ｗを区画するダクト部である風路形成部３３が配置されている。
　【００１６】
　本体部３１は、集塵装置２６の後側に位置する部分であり、内部の一側に電動送風機室３５が区画され、内部の他側に電源室であるコードリール室３６が区画されて、これら電動送風機室３５とコードリール室３６との間に図示しない隔壁が形成されているとともに、両側に走行輪２３が位置している。そして、電動送風機室３５には、電動送風機３８およびこの電動送風機３８の動作を制御する制御手段としての制御回路部３９が収容されており、コードリール室３６には、電動送風機３８および制御回路部３９に給電するための電源部として、電源コード４０を出し入れ可能に巻回したコードリール装置４１が収容されている。また、この本体部３１の前端部には、集塵装置２６の後部に対向し上下方向に沿う対向面部４２と、この対向面部４２の両側に位置する側面部４３，４３とが形成されている。そして、対向面部４２には、本体ケース２５に装着された集塵装置２６とそれぞれ連通する例えば四角形状の吸気開口部４４と連通開口部４５とが上下に開口形成され、側面部４３，４３には、集塵装置２６を着脱方向にガイドするガイド部４６，４６が形成され、かつ、対向面部４２の連通開口部４５の下部には、集塵装置２６を着脱方向にガイドする補助ガイド部４７が形成されている。さらに、この本体部３１の後端部には、電動送風機室３５などに連通し電動送風機３８からの排気を本体ケース２５の外部へと排出する複数の排気孔４８と、電源コード４０の先端側が導出されるコード導出口４９とが形成されている。また、この本体部３１の上部には、掃除機本体１３（本体ケース２５）を把持するためのハンドル５５が前後方向に回動可能に軸支されている。また、本体部３１の上部には、コードリール装置４１に電源コード４０を巻き取る際に操作する操作部である操作ボタン５６が配置されている。
　【００１７】
　また、電動送風機３８は、設定ボタン２２の操作に応じて、制御回路部３９により動作が制御されるもので、電動送風機室３５内に上下方向に沿って軸方向を有するように配置され、上側が吸込側、下側が排気側となっている。そして、この電動送風機３８の吸込側は吸気開口部４４と連通している。
　【００１８】
　また、制御回路部３９は、設定ボタン２２と電気的に接続されており、この設定ボタン２２の操作により設定された動作モード（例えば強モード、中モード、弱モード、自動モード、停止モードなど）に電動送風機３８の動作を設定するように構成されている。
　【００１９】
　また、吸気開口部４４は、電動送風機３８の吸込側に連通するものであり、前方上側に向けて開口している。さらに、この吸気開口部４４は、対向面部４２の連通開口部４５と異なる位置、本実施形態では連通開口部４５の上方に形成されており、左右幅方向に長手状となっている。また、この吸気開口部４４は、対向面部４２の上端部に位置しており、内部に格子状のリブ６１が形成されている。また、この吸気開口部４４の周縁部には、例えばゴムなどの弾性部材により形成された一方のシール部材である上部シール部材６２が取り付けられている。
　【００２０】
　また、連通開口部４５は、前方上側に向けて開口している。さらに、この連通開口部４５は、風路形成部３３の下流側と連通している。また、この連通開口部４５は、吸気開口部４４に対して下方に離間された位置に形成されている。そして、この連通開口部４５の周縁部には、例えばゴムなどの弾性部材により形成された他方のシール部材である下部シール部材６３が取り付けられている。
　【００２１】
　また、突出受部３２は、集塵装置２６の前側の下部を支持する部分であり、平面視で有底円筒状に形成され、本体部３１の対向面部４２の下部から前方に向けて上方へと傾斜して突出している。さらに、この突出受部３２の前面には、管部１２の接続管部１５が接続される断面円形状の本体吸込口６６が形成されており、この本体吸込口６６が風路形成部３３の上流端の開口となっている。そして、この突出受部３２の下部には、旋回輪２４が位置している。
　【００２２】
　そして、風路形成部３３は、本体ケース２５に対して装着された集塵装置２６の上流側に連通することでこの集塵装置２６を介して電動送風機３８の吸込側と連通する部分、すなわち電動送風機３８よりも上流側に位置する部分であり、突出受部３２内に位置して前後方向に沿う長手状の導入部６７と、この導入部６７に連通し本体部３１内に位置する扁平部としての風路形成部本体６８とが連続して形成されている。この風路形成部３３の内部に形成される風路Ｗは、集塵装置２６を介して電動送風機３８の吸込側と連通している。すなわち、この風路Ｗは、集塵装置２６の上流側に位置している。
　【００２３】
　導入部６７は、上流端である前端が本体吸込口６６となっており、前後方向の中間部が本体吸込口６６と同様の円筒状に形成され、かつ、下流端である後端が上下方向に扁平な長方形状に形成されている。なお、この導入部６７の各部での断面積は、本体吸込口６６の断面積と略等しい一定値となるように設定されている。
　【００２４】
　また、風路形成部本体６８は、上流側を構成し前後方向に沿って延びる上流側風路部６８ａと、下流側を構成し上下方向に沿って伸びる下流側風路部６８ｂと、これら風路部６８ａ，６８ｂを連通する屈曲部６８ｃとを備えている。そして、この風路形成部本体６８の全体は、断面形状（風路Ｗの軸線方向に直交する断面形状）が左右幅方向に長手方向を有する扁平な多角形状である長方形状となっている。すなわち、風路形成部本体６８は、互いに対向する短辺である略平行な第１辺部Ｐａ，Ｐａと、これら第１辺部Ｐａ，Ｐａと交差（直交）する方向に互いに対向する長辺である略平行な第２辺部Ｐｂ，Ｐｂとを備える断面形状に形成されている。そして、この風路形成部本体６８の第１辺部Ｐａ，Ｐａ間の寸法である長手寸法Ａと第２辺部Ｐｂ，Ｐｂ間の寸法である短手寸法Ｂとの比Ｂ／Ａは、例えば１／２以下となっている。さらに、風路形成部本体６８の各部での断面積（≒Ａ×Ｂ）は、円形状の本体吸込口６６（導入部６７）の断面積と略等しい一定値となるように設定されている。すなわち、長手寸法Ａは、本体吸込口６６の径寸法よりも大きく、短手寸法Ｂは、本体吸込口６６の径寸法よりも小さく設定されている。このように、風路形成部本体６８の断面形状を扁平な形状とすることで、本体ケース２５内を省スペース化し、掃除機本体１３の小型化が可能になる。
　【００２５】
　上流側風路部６８ａは、上流端である前端が導入部６７の下流端である後端と気密に接続されている。また、この上流側風路部６８ａは、風路形成部本体６８中で最も扁平な形状、すなわち短手寸法Ｂが最も小さく設定されている。そして、この上流側風路部６８ａには、風路Ｗを通過する塵埃量を検出する光センサ７１が配置されている。
　【００２６】
　この光センサ７１は、例えば赤外光を発光する発光部７２と、この発光部７２により発光された赤外光を受光する受光部７３とを互いに対向する位置に備えており、発光部７２からの赤外光の受光部７３での受光量によって、風路Ｗ中を通過する塵埃量に対応する信号を制御回路部３９に出力可能となっている。そして、発光部７２と受光部７３とは、上流側風路部６８ａの上下方向の略中心位置に、長手方向に平行に互いに対向して配置されている。
　【００２７】
　発光部７２は、赤外光などの光を出力するＬＥＤなどの発光素子７２ａ、この発光素子７２ａからの発光を風路Ｗ内へと導く発光側導光部材としての発光側レンズ７２ｂ、および、発光素子７２ａなどが実装された発光側基板７２ｃなどを有している。
　【００２８】
　発光素子７２ａは、水平方向に沿って配置され、この水平方向へと風路Ｗ内に赤外光を出力するように構成されている。
　【００２９】
　また、発光側レンズ７２ｂは、発光素子７２ａの赤外光の出力側を覆って発光側基板７２ｃに配置されている。さらに、この発光側レンズ７２ｂは、一方の第１辺部Ｐａに穿設された発光側孔部７２ｄ内に、この発光側孔部７２ｄを気密に閉塞するように嵌合しており風路Ｗの内部に臨んでいる。すなわち、発光側孔部７２ｄから風路Ｗ内の空気が風路Ｗの外部へと流出することはない。
　【００３０】
　また、発光側基板７２ｃには、図示しないが、発光素子７２ａを駆動および制御する各種素子が実装されており、一方の第１辺部Ｐａに沿って配置されている。
　【００３１】
　同様に、受光部７３は、発光部７２から出力された赤外光を検出するフォトトランジスタなどの受光素子７３ａ、発光部７２から出力された光を受光素子７３ａへと導く受光側導光部材としての受光側レンズ７３ｂ、および、受光素子７３ａなどが実装された受光側基板７３ｃなどを有している。
　【００３２】
　受光素子７３ａは、水平方向に沿って発光素子７２ａ側に向けて配置されており、この発光素子７２ａから出力された赤外光を受光するように構成されている。
　【００３３】
　また、受光側レンズ７３ｂは、受光素子７３ａに対する赤外光の入力側を覆って受光側基板７３ｃに配置されている。さらに、この受光側レンズ７３ｂは、他方の第１辺部Ｐａに穿設された受光側孔部７３ｄ内に、この受光側孔部７３ｄを気密に閉塞するように嵌合しており風路Ｗの内部に臨んでいる。すなわち、受光側孔部７３ｄから風路Ｗ内の空気が風路Ｗの外部へと流出することはない。
　【００３４】
　また、受光側基板７３ｃには、図示しないが、受光素子７３ａの受光量に応じて出力される信号を増幅して制御回路部３９へと出力する各種素子が実装されており、他方の第１辺部Ｐａに沿って配置されている。
　【００３５】
　また、下流側風路部６８ｂは、下流側である上端側が連通開口部４５と気密に接続されている。したがって、風路形成部３３により、本体吸込口６６と連通開口部４５とが互いに連通している。さらに、この下流側風路部６８ｂは、上流側風路部６８ａよりも短手寸法Ｂが大きく設定されている。
　【００３６】
　さらに、屈曲部６８ｃは、下側から上側へと側面視でＬ字状（逆Ｌ字状）に屈曲して形成されている。
　【００３７】
　また、集塵装置２６は、任意の構成とすることができるが、例えば電動送風機３８の駆動により吸い込まれた空気を旋回させてこの空気に含まれる塵埃を遠心分離（サイクロン分離）して捕集する塵埃分離部としての遠心分離部、すなわち集塵部本体であるカップ部７５と、このカップ部７５の上部にこのカップ部７５の遠心分離の軸と交差（直交）する面（前後方向に沿う面）に沿って着脱可能に取り付けられるフィルタ部７６と、カップ部７５に対して着脱可能でフィルタ部７６の上部を覆うカバー部７７とを備えている。
　【００３８】
　カップ部７５は、例えば透光性を有する合成樹脂などにより円筒状に形成された遠心分離部本体としてのカップ本体８１と、このカップ本体８１の内部に配置された旋回部としての分離ネットであるセード部８２と、例えば合成樹脂などにより円形板状に形成された蓋体としての底蓋８３とを備えている。
　【００３９】
　カップ本体８１は、塵埃を内部に収容するものであり、上端部がフィルタ部７６と連通しているとともに、下端側がカップ本体８１内に収容された塵埃を廃棄するための廃棄開口部８４となっている。また、このカップ本体８１の周面の後側には、電動送風機３８の駆動により含塵空気をカップ本体８１の内部に吸い込むための集塵部吸気口８５が開口形成されている。さらに、このカップ本体８１の後部である集塵部吸気口８５の下方には、下方に向けて屈曲し集塵装置２６を本体ケース２５に装着した状態で補助ガイド部４７に挿入係止される係止部８６が突設されている。
　【００４０】
　集塵部吸気口８５は、集塵装置２６を本体ケース２５に装着した状態で連通開口部４５と連通するものであり、先端部である後端部が、連通開口部４５の周囲の下部シール部材６３に対して圧接される平面状となっている。さらに、この集塵部吸気口８５は、カップ本体８１内の接線方向に沿って含塵空気を導くように形成されている。
　【００４１】
　また、セード部８２は、カップ本体８１内を旋回する含塵空気の中心となる部分であり、円筒状に形成されており、外周に複数の開口８２ａを有し、これら開口８２ａにメッシュ状のフィルタ８２ｂが取り付けられて構成されている。したがって、このセード部８２の外部とカップ本体８１の内周との間に、含塵空気が旋回する旋回風路部９０が形成されている。
　【００４２】
　また、底蓋８３は、カップ本体８１の廃棄開口部８４を気密に開閉するもので、例えばカップ本体８１に対して前後方向に回動可能に軸支されている。
　【００４３】
　また、フィルタ部７６は、通気の上流側と下流側とに交互に突出する複数の突出部を有するプリーツ状の細塵フィルタであるプリーツフィルタ９７を備えている。このプリーツフィルタ９７は、カップ本体８１内のフィルタ８２ｂで捕集する塵埃よりも小さい塵埃すなわち細塵を捕集可能となっている。
　【００４４】
　また、カバー部７７の後部には、集塵装置２６の排気口となる集塵部排気口１０７が形成されている。また、このカバー部７７の集塵部排気口１０７の下部の両側には、本体ケース２５の各ガイド部４６が挿入される図示しないガイド部挿入部がそれぞれ形成されている。そして、このカバー部７７の後部上側には、集塵装置２６を本体ケース２５に対して係止固定およびこの係止固定を解除可能な着脱操作部としての取り外しレバー１０９が可動的に配置されている。
　【００４５】
　また、集塵部排気口１０７は、集塵装置２６を本体ケース２５に装着した状態で吸気開口部４４と連通するもので、その先端部である後端部には、吸気開口部４４の周囲の上部シール部材６２に対して圧接される平面状となっている。
　【００４６】
　次に、上記第１の実施形態の動作を説明する。
　【００４７】
　本体ケース２５に対して、カップ部７５のカップ本体８１にフィルタ部７６、セード部８２およびカバー部７７を取り付けた集塵装置２６を装着すると、集塵部排気口１０７と吸気開口部４４とが気密に接続されるとともに、集塵部吸気口８５と連通開口部４５とが気密に接続される。すなわち、集塵装置２６の上流側が風路形成部３３に、集塵装置２６の下流側が電動送風機３８の吸込側に、それぞれ気密に接続される。
　【００４８】
　そして、掃除の際には、本体吸込口６６に接続管部１５を接続することで、管部１２の各部、すなわちホース体１６、延長管１８および床ブラシ１９のそれぞれを（本体吸込口６６、風路形成部３３、連通開口部４５、集塵部吸気口８５、カップ部７５、フィルタ部７６、集塵部排気口１０７、吸気開口部４４を介して）電動送風機３８の吸込側と連通させるとともに、掃除機本体１３のコード導出口４９から電源コード４０を引き出し、図示しない壁面などのコンセントに接続した後、把持部２１を把持し、所望の設定ボタン２２を操作することでこの操作により設定された動作モードで制御回路部３９が電動送風機３８を駆動させる。この電動送風機３８の駆動により生じた負圧は、吸気開口部４４、集塵部排気口１０７、フィルタ部７６、カップ部７５、集塵部吸気口８５、連通開口部４５、風路形成部３３、本体吸込口６６、および、管部１２のホース体１６、延長管１８および床ブラシ１９と順次作用し、この床ブラシ１９から空気とともに塵埃を吸い込むことが可能になる。すなわち、電動送風機３８の駆動により、管部１２から集塵装置２６を介して電動送風機３８の吸込側へと空気の流れが形成される。
　【００４９】
　使用者は、床ブラシ１９を床面上に載置し、掃除する箇所で前後に走行させて床面上の塵埃を吸い込む。なお、掃除する箇所を床面上で移動する場合には、ホース体１６を引っ張ることで掃除機本体１３を床面上で移動させる。
　【００５０】
　床ブラシ１９から吸い込まれた含塵空気は、延長管１８、ホース体１６、本体吸込口６６、風路形成部３３を通過する。このとき、風路形成部３３の風路形成部本体６８の上流側風路部６８ａに配置された光センサ７１において、風路Ｗを通過する塵埃量が検出され、この検出した塵埃量に基づいて、制御回路部３９が予め設定された所定の制御、例えば電動送風機３８の入力を光センサ７１で検出した塵埃量に対応させて可変させる（検出した塵埃量の大小に応じて電動送風機３８の入力を増減させる）などの制御をする。さらに、この含塵空気は、連通開口部４５を介して集塵部吸気口８５から集塵装置２６内（カップ部７５内）へと吸い込まれ、カップ本体８１内の旋回風路部９０で旋回される。この結果、比較的大きい綿ごみなどの塵埃すなわち粗塵が空気から遠心分離され、この粗塵がカップ本体８１の内側面に沿って自重落下して捕集される。
　【００５１】
　粗塵が除去された空気は、フィルタ８２ｂを通過した後、フィルタ部７６のプリーツフィルタ９７を通過することで、微細な塵埃すなわち細塵がプリーツフィルタ９７に捕集される。
　【００５２】
　この後、プリーツフィルタ９７を下流側へと通過した空気は、集塵部排気口１０７および吸気開口部４４を介して電動送風機３８へと吸い込まれる。そして、この電動送風機３８を冷却した後、排気風となって電動送風機３８から排気され、排気孔４８から掃除機本体１３（本体ケース２５）の外部へと排気される。
　【００５３】
　掃除が終了すると、使用者が設定ボタン２２を操作することにより、制御回路部３９が電動送風機３８を停止させる。
　【００５４】
　上述したように、上記第１の実施形態によれば、風路Ｗの扁平した位置、特に風路Ｗにおいて短手寸法Ｂが最も小さい位置である上流側風路部６８ａに長手方向に沿って光センサ７１を配置することにより、光センサ７１の数を増加させることなく風路Ｗに対する光センサ７１の光軸の太さを相対的に高めることができる。したがって、塵埃の検出範囲を絞り込むことができ、塵埃量の検出精度を向上できる。
　【００５５】
　次に、第２の実施形態を図６を参照して説明する。なお、上記第１の実施形態と同様の構成および作用については、同一符号を付してその説明を省略する。
　【００５６】
　この第２の実施形態は、上記第１の実施形態の光センサ７１が、風路形成部３３の風路形成部本体６８の屈曲部６８ｃ内の屈曲形状の外側寄りに配置されているものである。すなわち、光センサ７１は、屈曲部６８ｃの外側の角部近傍、すなわち屈曲部６８ｃ内の後部の下側寄りに配置されている。
　【００５７】
　そして、風路Ｗに吸い込まれた含塵空気は、導入部６７から風路形成部本体６８の上流側風路部６８ａを直進し、屈曲部６８ｃを屈曲する。このとき、この含塵空気中の塵埃、特に比較的小さい塵埃である細塵は、慣性によって屈曲部６８ｃの後部に当接しながら、換言すれば屈曲部６８ｃの外側を通過しながら下流側風路部６８ｂへと流れる。したがって、この屈曲部６８ｃ内の屈曲形状の外側寄りに配置された光センサ７１によって、風路Ｗを通過する塵埃をより確実に検出でき、塵埃量の検出精度をより向上できる。
　【００５８】
　次に、第３の実施形態を図７を参照して説明する。なお、上記各実施形態と同様の構成および作用については、同一符号を付してその説明を省略する。
　【００５９】
　この第３の実施形態は、上記各実施形態の第１辺部Ｐａ，Ｐａに代えて、下方に向けて傾斜している傾斜面である第１辺部Ｐａ１，Ｐａ１を互いに対向して備えるものである。すなわち、これら第１辺部Ｐａ１，Ｐａ１は、それぞれ上側が下側よりも風路Ｗの中心側へと突出している。また、これら第１辺部Ｐａ１，Ｐａ１に配置された光センサ７１の発光部７２の発光側レンズ７２ｂの先端および受光部７３の受光側レンズ７３ｂの先端は、それぞれ上下方向に沿って略垂直状に形成されている。そのため、これら発光側レンズ７２ｂの先端および受光側レンズ７３ｂの先端の上方には、それぞれ庇状に突出する突出部１１１が形成されている。
　【００６０】
　したがって、風路Ｗ内を上側から下側へと落下する塵埃が各レンズ７２ｂ，７３ｂの先端に付着することを突出部１１１により防止でき、塵埃の付着に起因する光センサ７１の感度の低下を防止できる。
　【００６１】
　特に、光センサ７１は、本体吸込口６６に対して下流側に離間された位置、すなわち使用者が手入れをしにくい箇所に配置されているため、第１辺部Ｐａ１，Ｐａ１の傾斜によって塵埃の付着を防止することで使用者が光センサ７１の各レンズ７２ｂ，７３ｂを頻繁に手入れをする必要がなくなり、使い勝手が向上する。
　【００６２】
　なお、上記各実施形態において、風路形成部本体６８の内部の風路Ｗの断面形状は、例えば図８に示す第４の実施形態のように、楕円形状としてもよい。この場合には、例えば風路Ｗの断面形状の長軸に沿って光センサ７１を配置し、特に長軸の両端に発光部７２および受光部７３を配置することにより、上記各実施形態と同様の作用効果を奏することができる。
　【００６３】
　また、上記第１ないし第３の実施形態において、図９に示す第５の実施形態のように、互いに対向し下方へと傾斜した傾斜面である第１辺部Ｐａ２，Ｐａ２、これら第１辺部Ｐａ２，Ｐａ２の下部に連続し上方へと傾斜して互いに対向する第２辺部Ｐｂ２，Ｐｂ２および第１辺部Ｐａ２，Ｐａ２間と第２辺部Ｐｂ２，Ｐｂ２間とに連続して互いに対向する第３辺部Ｐｃ２，Ｐｃ２を備える多角形状である六角形状などとしてもよい。この場合には、第１辺部Ｐａ２，Ｐａ２を第２辺部Ｐｂ２，Ｐｂ２よりも長く形成し、これら第１辺部Ｐａ２，Ｐａ２に光センサ７１の発光部７２および受光部７３を配置することにより、上記第１ないし第３の実施形態のそれぞれと同様の作用効果を奏することができる。
　【００６４】
　そして、以上説明した少なくとも一つの実施形態によれば、風路Ｗの一部に形成された扁平部である風路形成部本体６８の長手方向に光センサ７１の発光部７２および受光部７３を対向配置することにより、光センサ７１による塵埃の検出範囲を絞り込み、塵埃量の検出精度を向上できる。
　【００６５】
　すなわち、含塵空気中の比較的大きい塵埃である粗塵は、主として風路Ｗの中心軸に沿って移動するのに対して、含塵空気中の比較的小さい塵埃である細塵は、風路Ｗの周面近傍に沿って移動することがあるため、光センサ７１を風路Ｗの扁平な風路形成部本体６８に長手方向に沿って配置することで、光センサ７１の数を増加させることなく風路Ｗの周面近傍を通過する細塵をも光センサ７１で検出しやすくなる。したがって、光センサの数を増加させて各光センサによる塵埃量の検出の干渉などによる誤検出、すなわち誤動作を生じやすくしたり、製造コストの増加や構造の複雑化を生じたりすることなく、風路Ｗの断面の略全ての領域を通過する塵埃を従来と同様の（１つの）光センサ７１により把握でき、塵埃量の検出精度を向上できる。
　【００６６】
　なお、上記各実施形態において、集塵装置２６は、本体ケース２５の内部に一体的に組み込む構成としてもよい。
　【００６７】
　また、電気掃除機１１としては、キャニスタ型に限らず、縦長の掃除機本体１３の下部に床ブラシ１９が接続されたアップライト型、ハンディ型、あるいは自走式掃除機などでも対応して用いることができる。
　【００６８】
　さらに、電気掃除機１１としては、電源部としてコードリール装置４１を用いて商用交流電源により給電する構成以外でも、例えば二次電池などの電池を電源部として掃除機本体１３に内蔵する構成としてもよい。
　【００６９】
　そして、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
　【符号の説明】
　【００７０】
　１１　　電気掃除機
　１３　　掃除機本体
　３３　　風路形成部
　３８　　電動送風機
　６８　　扁平部としての風路形成部本体
　７１　　光センサ
　７２　　発光部
　７３　　受光部
　Ｐａ１，Ｐａ２　傾斜面である第１辺部
　Ｗ　　　風路
（５７）【特許請求の範囲】
　【請求項１】
　電動送風機を収容した掃除機本体と、
　扁平形状の扁平部
を一
この扁平部にこの扁平部の上流側を構成する上流側風路部が形成され、前記掃除機本体に配置されて、
　
前記上流側風路部にて
　を具備したことを特徴とした電気掃除機。
　【請求項２】
　
電動送風機を収容した掃除機本体と、
　扁平形状の扁平部を一部に備え、この扁平部に、この扁平部の上流側を構成する上流側風路部、下流側を構成する下流側風路部、および、これら上流側風路部および下流側風路部を連通して屈曲状に形成された屈曲部が形成され、前記掃除機本体に配置されて、前記電動送風機の吸込側に連通する風路を形成する風路形成部と、
　
前記屈曲部にてこの屈曲部の屈曲形状の外側寄りに配置され、前記扁平部の長手方向に対向配置された発光部および受光部を備え、前記発光部から発光された光の前記受光部での受光量に基づき前記風路を通過する塵埃量を検出する光センサと
　
を具備した
た電
　【請求項３】
　扁平部は、下方に向けて傾斜し
この扁平部の長手方向に
　光センサの発光部および受光部は、前記扁平部の
屈曲部にて
　ことを特徴とした請求項２記載の電気掃除機。